(57)【要約】      （修正有）【課題】簡便に組み立て分解可能で壊れ難く、また配線があっても目立たずスッキリとした開放性に富む収納ラック及びその組み立てセットを提供する。【解決手段】支持面１０に立てかけて使用される背板１と、背板１に取り付けられて使用される棚板２と、背板１に取り付けられた棚板２に差し込まれて棚板２を背板１に固定するダボ３とからなる収納ラックＡであって、背板１にはスリット４が施され、棚板２にはスリット４に挿入される棚板ホゾ部が形成され、棚板ホゾ部にはスリット４に差し込まれた、背板１の背面側における突出部分にダボ孔が形成されている。【選択図】図１
2013198560.tif 000002
【特許請求の範囲】
【請求項１】
支持面に立てかけて使用される背板と、背板に取り付けられたて使用される棚板と、背板に取り付けられた棚板に差し込まれて棚板を背板に固定するダボとからなる収納ラックであって、
背板にはスリットが施され、
棚板にはスリットに挿入される棚板ホゾ部が形成され、
棚板ホゾ部にはスリットに差し込まれ、背板の背面側における突出部分にダボ孔が形成されていることを特徴とする収納ラック。
【請求項２】
棚板ホゾ部にはスリットの前後に連通する開口部が施されていることを特徴とする請求項１に記載の収納ラック。
【請求項３】
背板の前面側に突き出す棚板の載置部の両サイドにダボ孔と略同内径の通孔が形成されていることを特徴とする請求項１又は２に記載の収納ラック。
【請求項４】
背板の前面側にはダボ孔と略同内径の通孔が１〜複数個施されていることを特徴とする請求項１〜３のいずれかに記載の収納ラック。
【請求項５】
背板の裏面の支持面との当接部分に滑り止めが施されていることを特徴とする請求項１〜４のいずれかに記載の収納ラック。
【請求項６】
請求項１〜５の背板と棚板とダボとが部品として同梱されたことを特徴とする収納ラック組み立てセット。
【発明の詳細な説明】
【技術分野】
【０００１】
本発明は壁などの支持面に立て掛けて使用する簡易な収納ラックとその組み立てセットに関する。
【背景技術】
【０００２】
従来、様々な収納ラックやその組み立てセットが提案されているが、何れもボックスタイプの据え置き型で、部品も多くまた側板や天板、底板、背面板などを正確に直角に組み上げる必要もあり、その組み立てに時間がかかるだけでなく場所をとるし、持ち運びなどその移動も困難であった。また、内部には移動可能な棚板が多段に設けられるようになっているが、収納ラックの側板内面の前後、合計４カ所にねじ込んだダボ上に設置する構造となっているため、棚板の高さ変更も意外と面倒であった。また、ボックスタイプの据え置き型収納ラックの場合、両側に側板があり、開口が前面に限られるため閉塞感があって開放感や手軽さを好む若者にはインテリアとして必ずしも好まれない面もあった。しかもこのような収納ラックの場合、棚板に電化製品を収納すると背板が背面全体を閉塞しているため、その配線処理に困ることがあった。
【０００３】
そこで、パネルのスリットに差し込んで掛止可能なフック片や棚板を設けた収納ラックが提案された（特許文献１）。また、配線処理を考慮した収納ラックとして、組立式自立型家具が提案された（特許文献２）。
【先行技術文献】
【特許文献】
【０００４】
【特許文献１】実開平６−１３６２５
【特許文献２】実案登録３１０５６９９
【発明の概要】
【発明が解決しようとする課題】
【０００５】
特許文献１の収納ラックは、簡便に組み立て可能であるものの単にスリットにフック片や棚板を挿入しただけでパネルに固定しておらず、人がフック片や棚板に接触するなど振動衝撃などが加わると外れ易く、これらが載置した物品と共に落下しやすい問題がある。また、特許文献２の収納ラックでは、コード収容空間が形成され、電源コードを露出させずに配線できるが、形状が複雑で部品点数も多くなり、組み立てにも工具が必要となるだけでなく配線も面倒であり、開放的でなく経済性にも問題がある。
【０００６】
そこで、本発明では簡便に組み立て分解可能で壊れ難く、また配線があっても目立たずスッキリとした開放性に富む収納ラック及びその組み立てセットを提案することをその課題とする。
【課題を解決するための手段】
【０００７】
請求項１に記載の発明は、
支持面(10)に立て掛けて使用される背板(1)と、背板(1)に取り付けられて使用される棚板(2)と、背板(1)に取り付けられた棚板(2)に差し込まれて棚板(2)を背板(1)に固定するダボ(3)とからなる収納ラック(A)であって、
背板(1)にはスリット(4)が施され、
棚板(2)にはスリット(4)に挿入される棚板ホゾ部(5)が形成され、
棚板ホゾ部(5)にはスリット(4)に差し込まれ、背板(1)の背面(1a)側における突出部分(5a)にダボ孔(6)が形成されていることを特徴とする。
【０００８】
請求項２に記載の発明は、棚板ホゾ部(5)にはスリット(4)の前後に連通する開口部(7)が施されていることを特徴とする。
【０００９】
請求項３に記載の発明は、背板(1)の前面側に突き出す棚板(2)の載置部(8)の両サイドにダボ孔(6)と略同内径の通孔(11)が形成されていることを特徴とする。
【００１０】
請求項４は、背板(1)の前面側にはダボ孔(6)と略同内径の通孔(12)が１〜複数個施されていることを特徴とする。
【００１１】
請求項５は、背板(1)の裏面の支持面(10)との当接部分に滑り止め(13)が施されていることを特徴とする。
【００１２】
請求項６は収納ラック組み立てセットで、請求項１〜５の背板(1)と棚板(2)とダボ(3)とが部品として同梱されたことを特徴とする。
【発明の効果】
【００１３】
請求項１に記載の発明では、背板のスリットに棚板の棚板ホゾ部を挿入し、ダボ孔にダボを嵌め込むだけで工具や接着剤が不要であるため、簡便に組み立てが可能であり、固定はダボで行われるので、振動や衝撃程度では壊れ難い。一方、分解はダボを抜くだけという簡単さなのでコンパクトにして収容や搬送も可能である。しかも、このように部品点数も少なくシンプルであるから経済的であり、部品全てを木質系材料にすれば廃棄時も分別不要で環境負荷も小さい。なお、スリットを複数個所設ければ、スリット選択することで自由に棚板配置も可能である。また、棚板を背板の最下方のスリットに設けて固定した場合、背板の背面に突出する棚板ホゾ部が背面側の支えとなるので自立も可能となる。また、この収納ラックは背板に棚板が取り付けられただけで、両サイドが開放状態であるため、閉塞感がなく開放的な感じを看者に与えることができる。
【００１４】
請求項２に記載の発明では、棚板ホゾ部に設けた開口部により、棚板の前端側の載置部に電化製品のような配線を必要とする製品を載置した場合、開口部を利用して前記配線をスリットに通し、背板の前面側から背面側に配線を通すことができるので、配線が目立たず且つ邪魔にもならず、スッキリと収納できるし、ディスプレイスタンドとしても使い勝手がよい。
【００１５】
請求項３に記載の発明では、棚板の載置部の両サイドの通孔にダボを下方に向けて装着すれば、これが自立用の前側の脚となって自立が可能となるだけでなく、壁面のような支持面に立て掛けて使用する場合には倒れ防止用の脚とすることができる。そして、通孔の内径をダボ孔と共通にすることにより、脚用のダボと棚板固定用のダボとを共通化できるので、部品点数も少なくてよい。
【００１６】
請求項４に記載の発明は、背板の通孔にダボを差し込んでフックとして使用することができる。通孔を複数とすることで、好みの場所にフックを設けることができる。そして、この場合も通孔の内径をダボ孔と共通にすることにより、ダボを共通化できるので、部品点数も少なくてよい。
【００１７】
請求項５に記載の発明では、壁面のような支持面に立て掛けて使用する場合、支持面との接触面の傷付き防止や横ズレ防止になる。
【００１８】
請求項６に記載の発明では、部品が全て同梱されているので、使用者が必要なときに開梱して組み立てる楽しみがある。また、複数種類の棚板があれば必要に応じて適宜取替え可能なので、オリジナル性が高く、使い勝手もよい。
【図面の簡単な説明】
【００１９】
【図１】本発明の収納ラックの斜視図である。
【図２】(a)は図１の断面図、(b)は変形例１の断面図、(c)は変形例２の断面図、(d)は変形例３の断面図である。
【図３】図１の棚板部分を斜め上から見下ろした時の拡大図である。
【図４】本発明に使用される背板の正面図である。
【図５】図２において、背板の下部に棚板を装着自立させた時の部分断面図である。
【図６】本発明で使用される棚板の第１実施例の平面図である。
【図７】本発明で使用される棚板の第２実施例の平面図である。
【図８】本発明で使用される棚板の第３実施例の平面図である。
【図９】本発明で使用される棚板の第４実施例の平面図である。
【図１０】本発明で使用されるダボの平面図である。
【発明を実施するための形態】
【００２０】
以下、本発明を図示実施例に従って説明する。本発明の収納ラック(A)は背板(1)、１乃至複数種類の棚板(2)、１乃至複数種類のダボ(3)で構成され、これらは木質材料、樹脂材料又は金属材料或いはこれらの組み合わせで使用される。これらを例えば木質材料（合板、木質繊維板、パーチクルボード等）で統一させれば、取扱いやすく廃棄もし易く環境にもやさしい。
【００２１】
背板(1)は本実施例では縦長長方形の木質厚板で構成され、適宜の位置に横長のスリット(4)が１乃至複数個所形成されている。スリット(4)の幅は背板(1)の全幅の半分強に形成されている。図の実施例図では、所定の間隔を空けて背板(1)の中央に一列に設けられているが、これに限られず千鳥或いはランダム設けてもよい。
【００２２】
スリット(4)は図２(a)のように背板(1)の表面に直角に穿設してもよいし、同図(b)に示すように、立て掛けて使用する角度を考慮して、背板(1)の表面に対して穿設角度θを鈍角（＝おおよその立て掛け角度＋直角）としてもよい。また、同図(c)に示すように、スリット(4)の高さ(H)を後述の棚板ホゾ部(5)の厚み(t)より大きくして、立て掛けた時の角度を考慮してスリット(4)の前面側下部の当たり部(P1)と背面側上部の当たり部(P2)に棚板ホゾ部(5)の下面と上面とがそれぞれ当接した場合に棚板(2)が水平になるようにしてもよい。また、スリット(4)の間及び背板(1)の上端部分にダボ孔(6)と略同内径の通孔(12)を適数個（ここでは横一列に３個）形成されている。背板(1)の上端裏面の支持面(10)との当接部分（両サイド）に滑り止め(13)がネジ止めによって施されている。
【００２３】
この滑り止め(13)は、脚部(13a)がねじ込み用のねじで形成され、ウレタン樹脂、シリコン樹脂、発泡樹脂、不織布、繊維板などの軟質でクッション性のあるもので円錐台形に形成された接触部(13b)に脚部(13a)の頭部が埋設されている。この滑り止め(13)は背板(1)の下端面の両サイドにも螺着されている。滑り止め(13)は形状や大きさも指定されるものではなく、壁面や床面などの支持面(10)と接触する箇所に設ければよい。勿論、ネジ止め以外の貼着手段でもよい。
【００２４】
棚板(2)はいろいろな種類のものが用意されており、図６の棚板(2)は、第１実施例の平面図である。一般的に棚板(2)は背板(1)の横幅と同じ幅に形成され、物品を乗せる長方形の載置部(8)の背面側端部中央にスリット(4)への挿入用の棚板ホゾ部(5)が延出されている。従って、載置部(8)の両端は棚板ホゾ部(5)の側方に伸びており、棚板ホゾ部(5)をスリット(4)に挿入した時、この部分がスリット(4)の側方の両側の部分に当接する。
【００２５】
棚板ホゾ部(5)の横幅と厚みは前述のようにスリット(4)に挿入できる寸法で、その中央に載置部(8)に至る開口部(7)が形成されている。該開口部(7)は背板(1)の厚みより長く、背板(1)の前面側から背面(1a)側に開口している。図の開口部(7)は棚板ホゾ部(5)の後端に開放しているが、長孔或いは丸孔、角孔でもよい。そして、棚板ホゾ部(5)の背板(1)の背面(1a)側における突出部分(5a)にダボ孔(6)が形成されている。ダボ孔(6)の位置は棚板ホゾ部(5)をスリット(4)に挿入した時、背板(1)を大きなガタなく挟むことが出来る、背面(1a)に近接した位置に設けられる。また、本実施例では、ダボ孔(6)は開口部(7)の両側に設けられているが、棚板(2)の抜け止めの用には１箇所でもよい。また、載置部(8)の前端には載置部(8)の一部を構成する前板部(8a)が上方に向けて突設されている。前板部(8a)は載置部(8)の全幅にわたって形成してもよいし、一部でもよい。
【００２６】
上記実施例では、載置部(8)と棚板ホゾ部(5)は同じ厚さの例を示したが、勿論、必要な強度を得られれば、図２(d)に示すように、載置部(8)より棚板ホゾ部(5)の厚みを薄くしてもよい。この場合、載置部(8)の厚み(T)をスリット(4)の溝高さ(H)より大にし、棚板ホゾ部(5)の厚み(t)をスリット(4)の溝高さ(H)より小にして挿入できるようにしておけば、載置部(8)の横幅をスリット(4)の横幅と同程度にすることもできる。この点は棚板(2)全体において適用できる。
【００２７】
図７は図６の開口部(7)及び前板部(8a)を設けないタイプの棚板(2)である。開口部(7)及び前板部(8a)は必要に応じて設けられ、図示していないが、開口部(7)なしで前板部(8a)のあるもの、逆に、開口部(7)はあるが前板部(8a)のないものも適宜用意される。
【００２８】
図８は棚板(2)の第３実施例で、開口部(7)なしで、棚板ホゾ部(5)の長さが長い場合である。図９は棚板(2)の第４実施例で、開口部(7)ありで、棚板ホゾ部(5)の長さが長い場合である。また、前板部(8a)や側板部(8b)が載置部(8)の一方のサイド部分に設けられている。（或いは、図示していないが両サイドや複数段に設けてもよい。）その他、載置部(8)に物品収納用の孔を形成しておいてもよい。これら前板部(8a)や側板部(8b)は予め棚板(2)に取り付けておいてもよいが、別途用意して、好みに応じて例えば接着するようにしてもよい。
【００２９】
ダボ(3)は円柱状の部材で周囲にネジ溝が刻設されている。その直径は収納ラック(A)の各部材が木製または若干の伸縮性を持つ樹脂製品の場合、ダボ孔(6)や通孔(11)(12)の内径より若干大きく、手で圧入できる程度の太さとなっている。ダボ(3)の長さは、1種類でもよいが、複数種類の長さのものを用意しておいてもよい。或いは、長尺のものを用意して、適宜の長さに切断するようにしてもよい。
【００３０】
これら収納ラック(A)用の部品、背板(1)、１乃至数種類の棚板(2)、１乃至数種類で必要数のダボ(3)とが、段ボールのような箱に同梱されて収納ラック組み立てセットとして販売される。この収納ラック組み立てセットを購入した者は、梱包を解き、組み立てを行う。背板(1)には予め必要個所に滑り止め(13)がネジ止めされている。もし、ネジ止めされていない場合には、図２に示すように、背板(1)の背面上端部両サイドと下端部両サイドにネジ止めを行う。
【００３１】
続いて、好みの箇所のスリット(4)に好みの棚板(2)の棚板ホゾ部(5)を挿入し、背板(1)の背面(1a)に合わせて設けられたダボ孔(6)にダボ(3)を圧入する。ダボ(3)の外周面にはネジ溝が刻設されているので、ねじ込んでいくと自然とダボ孔(6)に圧入される。これによって載置部(8)とダボ(3)によって背板(1)が挟まれ、棚板(2)が固定される。図１に示すように、載置部(8)の両サイドに設けられた通孔(11)に下面から適宜の長さのダボ(3)を圧入すると、収納ラック(A)の倒れ止めの脚となる。背板(1)の前面から適宜に選んだ通孔(12)にダボ(3)を圧入すると、フックとなる。
【００３２】
このよう棚板(2)やフックとしてのダボ(3)を背板(1)に組み付け、壁面その他の垂直面のような支持面(10)に背板(1)を立て掛ける。この状態で、背板(1)の上下の滑り止め(13)が壁面や床面などの支持面(10)に高い摩擦力で接触して背板(1)の横滑りや、スリップによる倒れなどを防止する。そして、この状態で開口部(7)を有する棚板(2)に電気製品を載せると、その配線(9)が背板(1)の前面側に開口した開口部(7)からスリット(4)を通って背板(1)の背面側に導かれ、背板(1)の背面側に開口した開口部(7)から引き出され、背板(1)の背面側でコンセントに接続される。従って、配線(9)が外部に殆んど露出せず、すっきりとした外観となる。
【００３３】
また、フックとしてのダボ(3)に例えばイヤホンを吊るしておくことができるし、載置部(8)に大穴を開けた棚板(2)を使用し、その下に底板となる棚板(2)を設けておけばペン等の小物を立てたりすることもできる。さらに、載置部(8)に前板部(8a)や側板部(8b)を設けた棚板(2)を使用して載置部(8)を容器形状にして品物を収納することをも可能であるし、側板部(8b)のみを設けたものを、側板部(8b)が下を向くように取り付ければ、その下方に本の高さに合わせて設けた棚板(2)と協働して側板部(8b)をブックエンドのように使用することも可能である。使い方によって自由に組合せることが可能である。
【００３４】
なお、前述のように、図８や９の棚板(2)を背板(1)の最下段に取り付ければ、図５のように背板(1)と棚板(2)の棚板ホゾ部(5)の後端が床面に接触して収納ラック(A)を自立させることができる。また、載置部(8)の両サイドの通孔(11)を利用すれば同様に背板(1)とダボ(3)によって収納ラック(A)を自立させることができる。なお、ダボ孔(6)は貫通孔でもよいが、ダボ(3)を取り付けるだけであるから貫通孔でなくてもよい。解体する場合は、ダボ(3)を引き抜けば簡単に解体することができる。
【符号の説明】
【００３５】
(A)収納ラック  (1)背板  (1a)背面  (2)棚板  (3)ダボ  (4)スリット  (5)棚板ホゾ部  (5a)突出部分  (6)ダボ孔  (7)開口部  (8)載置部  (10)支持面  (11)(12)通孔  (13)滑り止め
【図１】
2013198560.tif 000003
【図２】
2013198560.tif 000004
【図３】
2013198560.tif 000005
【図４】
2013198560.tif 000006
【図５】
2013198560.tif 000007
【図６】
2013198560.tif 000008
【図７】
2013198560.tif 000009
【図８】
2013198560.tif 000010
【図９】
2013198560.tif 000011
【図１０】
2013198560.tif 000012